(57)【要約】【課題】光ディスク駆動装置において、ビスを使用することなく、光ディスクを回転させたときにシャーシと遮蔽板とが共振することを抑えて共振音の発生を防止する。【解決手段】ディスク駆動ユニット３及び光ピックアップユニット６がシャーシ８内に収納され、遮蔽板７がシャーシ８の上方を塞ぐようにシャーシ８に取付けられる。シャーシ８には、２つの固定用柱８４，８５が形成されており、遮蔽板７には、固定用柱８４，８５が嵌合される２つの固定用孔７１，７２が形成されている。一方の固定用孔７１は、固定用柱８４の径より前後方向に小さい長円形状をしており、他方の固定用孔７２は、固定用柱８５の径より左右方向に小さい長円形状をしている。固定用柱８４，８５が固定用孔７１，７２に軽圧入により嵌合されることにより、ディスク駆動ユニット３により光ディスクを回転させたときにシャーシ８と遮蔽板７とが共振することが抑えられる。【選択図】図１
2007250016.tif 000002
【特許請求の範囲】
【請求項１】
少なくとも上面一部が開口されている樹脂製のシャーシと、このシャーシ内に収納され光ディスクを回転させるモータを搭載したディスク駆動ユニットと、同じく前記シャーシ内に収納され光ディスクに情報を記録し、又は光ディスクから情報を読取るための光を出射する光ピックアップユニットとを備える光ディスク駆動装置において、
前記シャーシの上方を塞ぐように前記シャーシの対向する左右両側壁上端面間に跨って取付けられる樹脂製の遮蔽板を備え、
前記シャーシの両側壁上端面には、前記遮蔽板を取付けるための少なくとも２つの固定用円柱が形成されており、
前記遮蔽板には、前記固定用円柱が嵌合される少なくとも２つの固定用孔が形成されており、
前記一方の固定用孔は、前記固定用円柱の径より前後方向に小さい長円形状をしており、前記固定用円柱を軽圧入により嵌合可能とされ、
前記他方の固定用孔は、前記固定用円柱の径より左右方向に小さい長円形状をしており、前記固定用円柱を軽圧入により嵌合可能とされ、
前記固定用円柱が前記固定用孔に軽圧入により嵌合されることにより、前記ディスク駆動ユニットにより光ディスクを回転させたときに前記シャーシと遮蔽板とが共振することを抑えたことを特徴とする光ディスク駆動装置。
【請求項２】
少なくとも上面一部が開口されているシャーシと、このシャーシ内に収納され光ディスクを回転させるモータを搭載したディスク駆動ユニットと、同じく前記シャーシ内に収納され光ディスクに情報を記録し、又は光ディスクから情報を読取るための光を出射する光ピックアップユニットとを備える光ディスク駆動装置において、
前記シャーシの上方を塞ぐように前記シャーシの対向する側壁上端面間に跨って取付けられる遮蔽板を備え、
前記シャーシの両側壁上端面には、前記遮蔽板を取付けるための固定用柱又は固定用孔が形成されており、
前記遮蔽板には、前記固定用柱又は固定用孔に嵌合される固定用孔又は固定用柱が形成されており、
前記固定用孔又は固定用柱は、前記固定用柱を前記固定用孔に圧入により嵌合可能な形状をしており、
前記固定用柱が前記固定用孔に圧入により嵌合されることにより、前記ディスク駆動ユニットにより光ディスクを回転させたときに前記シャーシと遮蔽板とが共振することを抑えたことを特徴とする光ディスク駆動装置。
【請求項３】
前記固定用柱は円柱形状をしており、
前記固定用孔は、前記固定用柱の径より一方向に小さい長円形状をしており、前記固定用柱を軽圧入により嵌合可能とされ、
前記固定用柱が前記固定用孔に軽圧入により嵌合されることを特徴とする請求項２に記載の光ディスク駆動装置。
【発明の詳細な説明】
【技術分野】
【０００１】
本発明は、例えばＣＤやＤＶＤ等の光ディスクに対して情報の記録／読取を行う光ディスク駆動装置に関するものである。
【背景技術】
【０００２】
従来から、光ディスク駆動装置は、モータを搭載したディスク駆動ユニットにより光ディスクを回転させながら、光ピックアップユニットにより光ディスクに向けて光を出射することにより、光ディスクに対して情報の記録／読取を行うようになっている。このような光ディスク駆動装置は、上面一部が開口されているシャーシ内にディスク駆動ユニット及び光ピックアップユニットが収納され、シャーシの上方を塞ぐように遮蔽板がシャーシに取付けられる。遮蔽板の取付けは、ビスを使用して、遮蔽板をシャーシにビス止めすることにより行われる。また、ビスを使用せずに、シャーシに形成した固定用円柱を遮蔽板に形成した固定用孔に挿入すると共にシャーシに形成したフックを遮蔽板に係止することにより、遮蔽板を取付けるものもある。
【０００３】
一方、フレーム基板に加わる振動や衝撃をやわらげる手段としてのロアカバーを、その長手方向に関して中間部分における両側の２箇所でフレーム基板にネジ止め固定することにより、ロアカバーをフレーム基板に対してフレキシブル性を持つように取付けたディスク駆動装置が知られている（例えば特許文献１参照）。また、回路基板が取付けられる板状部材を枠体内に載置し、枠体の外部からネジをネジ込んで、板状部材をネジにより枠体に取付けるようにした磁気記録再生装置、音響機器等の電気機器が知られている（例えば特許文献２参照）。
【特許文献１】特開平１１−２６５５６７号公報
【特許文献２】特開平１１−２９７０５６号公報
【発明の開示】
【発明が解決しようとする課題】
【０００４】
ところが、上述した従来の光ディスク駆動装置においては、遮蔽板をシャーシにビス止めする構成では、ビスを使用するため、部品点数が多くなり、また、遮蔽板の取付け作業が煩雑である。一方、ビス止めによらずに、シャーシの固定用円柱を遮蔽板の固定用孔に挿入すると共にシャーシのフックを遮蔽板に係止する構成では、固定用円柱の周囲に隙間ができるためシャーシと遮蔽板との間にガタが生じ、ディスク駆動ユニットにより光ディスクを回転させたときに、その回転による振動が伝わってシャーシと遮蔽板とが共振を起こし、共振音が発生することがある。なお、上述した特許文献１及び特許文献２に開示の内容を適用したとしても、上記の課題を解決することはできない。
【０００５】
本発明は、上記課題を解決するためになされたものであり、ビスを使用することなく、光ディスクを回転させたときにシャーシと遮蔽板とが共振することを抑えて共振音の発生を防止することができる光ディスク駆動装置を提供することを目的とする。
【課題を解決するための手段】
【０００６】
上記目的を達成するために請求項１の発明は、少なくとも上面一部が開口されている樹脂製のシャーシと、このシャーシ内に収納され光ディスクを回転させるモータを搭載したディスク駆動ユニットと、同じくシャーシ内に収納され光ディスクに情報を記録し、又は光ディスクから情報を読取るための光を出射する光ピックアップユニットとを備える光ディスク駆動装置において、シャーシの上方を塞ぐようにシャーシの対向する左右両側壁上端面間に跨って取付けられる樹脂製の遮蔽板を備え、シャーシの両側壁上端面には、遮蔽板を取付けるための少なくとも２つの固定用円柱が形成されており、遮蔽板には、固定用円柱が嵌合される少なくとも２つの固定用孔が形成されており、一方の固定用孔は、固定用円柱の径より前後方向に小さい長円形状をしており、固定用円柱を軽圧入により嵌合可能とされ、他方の固定用孔は、固定用円柱の径より左右方向に小さい長円形状をしており、固定用円柱を軽圧入により嵌合可能とされ、固定用円柱が固定用孔に軽圧入により嵌合されることにより、ディスク駆動ユニットにより光ディスクを回転させたときにシャーシと遮蔽板とが共振することを抑えたものである。
【０００７】
請求項２の発明は、少なくとも上面一部が開口されているシャーシと、このシャーシ内に収納され光ディスクを回転させるモータを搭載したディスク駆動ユニットと、同じくシャーシ内に収納され光ディスクに情報を記録し、又は光ディスクから情報を読取るための光を出射する光ピックアップユニットとを備える光ディスク駆動装置において、シャーシの上方を塞ぐようにシャーシの対向する側壁上端面間に跨って取付けられる遮蔽板を備え、シャーシの両側壁上端面には、遮蔽板を取付けるための固定用柱又は固定用孔が形成されており、遮蔽板には、固定用柱又は固定用孔に嵌合される固定用孔又は固定用柱が形成されており、固定用孔又は固定用柱は、固定用柱を固定用孔に圧入により嵌合可能な形状をしており、固定用柱が固定用孔に圧入により嵌合されることにより、ディスク駆動ユニットにより光ディスクを回転させたときにシャーシと遮蔽板とが共振することを抑えたものである。
【０００８】
請求項３の発明は、請求項２に記載の光ディスク駆動装置において、固定用柱は円柱形状をしており、固定用孔は、固定用柱の径より一方向に小さい長円形状をしており、固定用柱を軽圧入により嵌合可能とされ、固定用柱が固定用孔に軽圧入により嵌合されるものである。
【発明の効果】
【０００９】
請求項１の発明によれば、シャーシの固定用円柱が遮蔽板の固定用孔に圧入により嵌合されるため、シャーシと遮蔽板との間のガタが抑えられ、これにより、ディスク駆動ユニットにより光ディスクを回転させたときに、シャーシと遮蔽板とが共振することが抑えられ、共振音の発生が防止される。つまり、ビスを使用することなく、光ディスクを回転させたときにシャーシと遮蔽板とが共振することを抑えて共振音の発生を防止することができる。しかも、共振音の発生を防止するのにビスを必要としないため、部品費用及び組立作業費用の削減になり、コストダウンになる。また、固定用孔を固定用円柱の径より小さい長円形状とすることにより、固定用円柱が固定用孔に軽圧入により嵌合可能とされ、これにより、手作業で容易に遮蔽板を取付けることができる。さらに、一方の固定用孔が固定用円柱の径より前後方向に小さく他方の固定用孔が固定用円柱の径より左右方向に小さいため、前後方向と左右方向の両方向のガタが抑えられ、これにより、手作業で容易に遮蔽板を取付ける構成を実現しつつ、より確実に共振音の発生を防止することができる。
【００１０】
請求項２の発明によれば、シャーシの固定用柱又は固定用孔と遮蔽板の固定用孔又は固定用柱とが圧入により嵌合されるため、シャーシと遮蔽板との間のガタが抑えられ、これにより、ディスク駆動ユニットにより光ディスクを回転させたときに、シャーシと遮蔽板とが共振することが抑えられ、共振音の発生が防止される。つまり、ビスを使用することなく、光ディスクを回転させたときにシャーシと遮蔽板とが共振することを抑えて共振音の発生を防止することができる。しかも、共振音の発生を防止するのにビスを必要としないため、部品費用及び組立作業費用の削減になり、コストダウンになる。
【００１１】
請求項３の発明によれば、固定用柱を円柱形状とすると共に固定用孔を固定用柱の径より一方向に小さい長円形状とすることにより、固定用柱が固定用孔に軽圧入により嵌合可能とされ、これにより、手作業で容易に遮蔽板を取付けることができる。
【発明を実施するための最良の形態】
【００１２】
以下、本発明を具体化した実施形態による光ディスク駆動装置について図面を参照して説明する。図１（ａ）（ｂ）、図２は、光ディスク駆動装置の構成を示す。光ディスク駆動装置１は、例えばＣＤやＤＶＤ等の光ディスクに対して情報の記録／読取を行う装置である。
【００１３】
光ディスク駆動装置１は、光ディスクを搬送するディスクトレイ２と、光ディスクを回転させるディスク駆動ユニット３と、光ディスクをディスク駆動ユニット３に固定するためのクランパ４及びクランププレート５と、情報の記録／読取を行うための光を出射する光ピックアップユニット６と、光ピックアップユニット６から出射された光を外部に漏れないように遮蔽する遮蔽板７と、これらを支持するシャーシ８等を備える。
【００１４】
シャーシ８は、樹脂製であり、上面一部が開口しており、シャーシ８の対向する左右両側壁８１，８２間に、クランパ４及びクランププレート５を支持するためのクランプホルダ８３が架設されており、また、左右両側壁８１，８２の上端面には、遮蔽板７を取付けるための２つの固定用柱８４，８５、及びフック８６〜８９が形成されている。
【００１５】
ディスクトレイ２は、光ディスクが載置されるディスク載置部２１を有しており、ディスク載置部２１には、開口２２が形成されている。ディスクトレイ２は、シャーシ８内に収納／引出し自在に支持されており、ローディングモータ及びギア等により構成されるトレイ駆動手段（不図示）によって、シャーシ８内に収納／引出しされる。ディスクトレイ２がシャーシ８内に収納されることにより、ディスク載置部２１に載置された光ディスクがディスク駆動ユニット３の上方へ搬送される。
【００１６】
ディスク駆動ユニット３は、光ディスクを回転させるためのターンテーブル３１及びスピンドルモータ３２等を搭載しており、シャーシ８内に収納されている。ターンテーブル３１は、スピンドルモータ３２の回転軸に固定的に連結されており、スピンドルモータ３２により回転駆動される。スピンドルモータ３２は、シャーシ８に昇降自在に支持された支持台３５に固定されている。つまり、ディスク駆動ユニット３は、支持台３５を介して、シャーシ８に昇降自在に支持されている。ディスク駆動ユニット３は、ローディングモータ及びギア等により構成される昇降手段（不図示）によって、ディスクトレイ２の開口２２を通って昇降される。
【００１７】
クランパ４は、シャーシ８のクランプホルダ８３により、ターンテーブル３１の上方に回転自在かつ昇降自在に支持されている。クランププレート５は、クランプホルダ８３により、クランパ４の上方に上下動自在に支持されており、引っ張りバネ５５により下方に付勢されている。
【００１８】
ディスク駆動ユニット３がディスクトレイ２の開口２２を通って上昇すると、ディスクトレイ２上の光ディスクがターンテーブル３１により持ち上げられると共に、クランパ４が光ディスクにより持ち上げられてクランププレート５に押し付けられ、これにより、光ディスクがターンテーブル３１及びクランパ４と共に回転可能なようにターンテーブル３１上に固定されてチャッキングされる。
【００１９】
ディスク駆動ユニット３は、このように光ディスクがチャッキングされた状態でスピンドルモータ３２を回転させることにより、光ディスクをターンテーブル３１及びクランパ４と共に回転させる。
【００２０】
光ピックアップユニット６は、ユニットケース６１内に発光素子及び受光素子（不図示）等を搭載しており、発光素子から発光された光を光出入口６２から出射し、また、光出入口６２から入射した光を受光素子により受光する。光ピックアップユニット６は、シャーシ８内のディスクトレイ２よりも下方位置に収納されており、光を光出入口６２から上方に向けてディスクトレイ２の開口２２を通り抜けるように出射する。従って、光ピックアップユニット６から出射された光は、ディスクトレイ２上の光ディスク、又はディスク駆動ユニット３にチャッキングされた光ディスクに照射される。ディスク駆動ユニット３により光ディスクを回転させながら、光ピックアップユニット６から光を出射することにより、光ディスクに対して情報の記録／読取が行われる。
【００２１】
遮蔽板７は、樹脂製であり、シャーシ８の左右両側壁８１，８２の上端面間に支持されて、光ピックアップユニット６の上方を塞いでいる。従って、ディスクトレイ２上に光ディスクがなく、また、ディスク駆動ユニット３に光ディスクがチャッキングされていない場合には、光ピックアップユニット６から出射された光は、遮蔽板７に照射され、外部に漏れることがない。
【００２２】
シャーシ８の左右両側壁８１，８２の上端面には、上述のように遮蔽板７を取付けるための２つの固定用柱８４、８５、及びフック８６〜８９が形成されている。一方、遮蔽板７には、固定用柱８４，８５が嵌合される２つの固定用孔７１，７２と、フック８６〜８９が挿入されて係止されるフック孔７３〜７６が形成されている。
【００２３】
遮蔽板７は、固定用孔７１，７２にシャーシ８の固定用柱８４，８５を嵌合させると共に、フック孔７３〜７６にシャーシ８のフック８６〜８９を挿入、係止することにより、シャーシ８の上方を塞ぐように、シャーシ８の対向する左右両側壁８１，８２の上端面間に跨って取付けられる。
【００２４】
図３は、上記遮蔽板７の固定用孔７１，７２、及びシャーシ８の固定用柱８４，８５の構成を示す。シャーシ８の一方の固定用柱８４は、シャーシ８の左側壁８１の上端面に形成されており、上方に突出（すなわちターンテーブル３１、スピンドルモータ３２、クランパ４、及び光ディスクの回転方向と直交する方向に突出）し、略円柱形状をしている。また、シャーシ８の他方の固定用柱８５は、シャーシ８の右側壁８５の上端面に形成されており、一方の固定用柱８４と同様に、上方に突出し、略円柱形状をしている。
【００２５】
一方、遮蔽板７の一方の固定用孔７１は、固定用柱８４の径より前後方向に小さい長円形状をしており、固定用柱８４を軽圧入により嵌合可能とされている。なお、軽圧入とは、比較的弱い力による圧入のことをいう。また、遮蔽板７の他方の固定用孔７２は、固定用柱８５の径より左右方向に小さい長円形状をしており、固定用柱８５を軽圧入により嵌合可能とされている。従って、固定用柱８４を固定用孔７１に嵌合することにより、遮蔽板７とシャーシ８との間の前後方向のガタが抑えられ、固定用柱８５を固定用孔７２に嵌合することにより、遮蔽板７とシャーシ８との間の左右方向のガタが抑えられる。
【００２６】
このような構成の光ディスク駆動装置１によれば、シャーシ８の固定用柱８４，８５が遮蔽板７の固定用孔７１，７２に圧入（軽圧入）により嵌合されるため、シャーシ８と遮蔽板７との間のガタが抑えられ、これにより、ディスク駆動ユニット３により光ディスクを回転させたときに、シャーシ８と遮蔽板７とが共振することが抑えられて、共振音の発生が防止される。つまり、ビスを使用することなく、光ディスクを回転させたときにシャーシ８と遮蔽板７とが共振することを抑えて共振音の発生を防止することができる。しかも、共振音の発生を防止するのにビスを必要としないため、部品費用及び組立作業費用の削減になり、コストダウンになる。
【００２７】
また、固定用柱８４，８５を円柱形状とすると共に固定用孔７１，７２を固定用柱８４，８５の径より小さい長円形状とすることにより、固定用柱８４，８５が固定用孔７１，７２に比較的弱い力による軽圧入により嵌合可能とされ、これにより、手作業で容易に遮蔽板７をシャーシ８に取付けることができる。
【００２８】
さらに、一方の固定用孔７１が固定用柱８４の径より前後方向に小さく、他方の固定用孔７２が固定用柱８５の径より左右方向に小さいため、前後方向と左右方向の両方向のガタが抑えられ、これにより、手作業で容易に遮蔽板７を取付ける構成を実現しつつ、より確実に共振音の発生を防止することができる。
【００２９】
なお、本発明は、上記実施形態の構成に限られず、種々の変形が可能である。例えば、シャーシの固定用柱に代えて固定用孔を形成し、遮蔽板の固定用孔に代えて固定用柱を形成してもよい。固定用柱と固定用孔は、軽圧入に限られず、通常の圧入により嵌合されるものであってもよい。固定用柱及び固定用孔は、２つに限られず、１つでもよく、また、３つ以上あってもよい。固定用柱は、円柱形状に限られず、固定用孔に圧入又は軽圧入により嵌合可能な形状であれば、どのような形状であってもよい。また、固定用孔は、長円形状に限られず、固定用柱を圧入又は軽圧入により嵌合可能な形状であれば、どのような形状であってもよい。
【図面の簡単な説明】
【００３０】
【図１】（ａ）は本発明の一実施形態に係る光ディスク駆動装置の概略構成を示す斜視図、（ｂ）はその一部破断した断面図。
【図２】同光ディスク駆動装置の分解斜視図。
【図３】同光ディスク駆動装置のシャーシの固定用柱、及び遮蔽板の固定用孔の構成を示す部分拡大平面図。
【符号の説明】
【００３１】
１    光ディスク駆動装置
２    ディスクトレイ
３    ディスク駆動ユニット
４    クランパ
５    クランププレート
６    光ピックアップユニット
７    遮蔽板
８    シャーシ
２１    ディスク載置部
２２    開口
３１    ターンテーブル
３２    スピンドルモータ
３５    支持台
５５    引っ張りバネ
７１，７２    固定用孔
７３〜７６    フック孔
８１    シャーシの左側壁
８２    シャーシの右側壁
８３    クランプホルダ
８４，８５    固定用柱
８６〜８９    フック
【図１】
2007250016.tif 000003
【図２】
2007250016.tif 000004
【図３】
2007250016.tif 000005